(57)【特許請求の範囲】
【請求項１】
テープ基材上の塗膜を被転写体に転写する感圧転写テープにおいて、
少なくとも、感圧転写テープを繰出す繰出し部と、感圧転写テープを被転写体に押圧する転写ヘッドと、転写後のテープ基材を巻取る巻取り部と、繰出し部と巻取り部を連動させる機構を有する自動巻取り式の塗膜転写具に装填して用いるものであり、
テープ基材として厚さが３〜２５μｍの透明なＰＥＴフィルムであり、テープ基材の片面に１色以上の色からなる柄と離型層が形成され、反対面に離型層が形成され、どちらか一方の離型層上に塗膜が形成されており、
柄がグラビア印刷によって形成されていて、有色不透明の転写ヘッドを有する塗膜転写具に装填して用いるものであり、
柄がテープ幅の中央でテープ長尺方向へ１本となる直線柄またはテープ幅全面へのベタ柄であることを特徴とする感圧転写テープ。
【発明の詳細な説明】
【技術分野】
【０００１】
本発明は、自動巻取り式の塗膜転写具に装填して用いて、テープ基材上の塗膜を被転写体に転写する感圧転写テープに関するものである。
【背景技術】
【０００２】
従来、何らかの機能を持たせた塗膜を被転写体に転写するための感圧転写テープが数多く商品化されている。例えば感圧転写テープの一種である修正テープは、紙やＰＥＴ（ポリエチレンテレフタレ−ト）フィルム等のテープ基材に形成された離型層上に、文字を隠蔽するための隠蔽層と接着層からなる修正用塗膜が設けられ、自動巻取り式の塗膜転写具に装填して、その塗膜を被転写体に転写して使用される。
【０００３】
塗膜転写具は、少なくとも、感圧転写テープを繰出す繰出し部と、感圧転写テープを被転写体に押圧する転写ヘッドと、転写後のテープ基材を巻取る巻取り部と、繰出し部と巻取り部を連動させる機構を有しているものであり、連動させる機構によって自動巻取り式になっている。この塗膜転写具を用いて、ユーザーが転写したい箇所に狙い通りに塗膜を転写するものである。
【０００４】
塗膜転写具のケースが、特開２００２−２００８９１号公報にあるような扁平で楕円に近い正面形状をしている場合、この塗膜転写具を移動させる方向がわかり難い点が挙げられている。これは、扁平で楕円に近い正面形状であるため、ユーザーが塗膜転写具を反対に把持しても、同じ正面形状になってしまうからである。そこで該公報では、塗膜転写用テープ（感圧転写テープ）に方向マーク（柄）を表示してなることを特徴としている。
【０００５】
しかしながら、該公報に記載されているように、剥離効果を有するテープ基材に印刷方法で方向マークを実際に形成してみると、転写された塗膜へ方向マークが移動してしまい、巻取られるテープ基材に方向マークが残ることはなかった。これはおそらく、該公報に例示されている紫外線硬化樹脂製インクのような特殊インクを用いることで可能となる技術と思われる。
【０００６】
このような特殊インクを用いる方法でなく、汎用な印刷方法で柄の形成が可能であれば、この方向マークという柄だけでなく、１色以上の色からなる任意の柄を形成することが可能となる。塗膜転写後に巻取られるテープ基材に柄が形成されていることは、該公報の塗膜転写具を移動させる方向がわかり難いという問題を解決するだけでなく、他の目的にも利用できるものである。
【０００７】
塗膜を転写しようとする時、塗膜転写具はすべてが透明ではないことと塗膜転写具を把持するユーザーの手があることによって遮られて、転写したい箇所が完全に見えている訳でない。そこでユーザーは転写したい箇所をある程度想像して、塗膜を転写するものである。このような想像の下で転写を成功させるには、塗膜転写具の感圧転写テープが常に安定して動いている必要がある。安定して動いていなければ、完全に見えている訳ではないので、転写したい箇所に狙い通りに転写できない。自動巻取り式である繰出し部と巻取り部を連動させる機構は、そのようなテープを常に安定して動かす機構でもある。
【０００８】
テープ状のものを動かす場合、しばしばテープ幅方向への横ずれが起る。塗膜転写具の内部であれば、コアなどに鍔を設けたり、内壁との隙間を小さくしたりして、横ずれが大きくならない工夫をすることができる。しかし、被転写体に押圧するために塗膜転写具から突設している転写ヘッドで横ずれが起った場合、そのまま動かし続けると、横ずれが大きくなり、感圧転写テープが転写ヘッドから外れてしまうという不具合が生じることになる。これを防ぐために、例えば特許第３７１６３７９号公報のように、転写ヘッド側面にガイドを設けているものがある。このガイドによって、感圧転写テープが横ずれしようとしても、ガイドに接触することで、横ずれが起りにくいようにしている。
【０００９】
ところが、近年、塗膜転写具の小型化に伴い、例えば特開２０００−３１８３７８号公報のように、テープ基材として厚みの薄いプラスチックフィルムを使用することが多くなっている。厚みが薄いと腰がないため、転写ヘッド側面のガイドに接触しても、テープ自体が折れ曲がり、横ずれを抑えることができない。また、厚みの薄いフィルムとして透明なＰＥＴフィルムを使用する場合には、透明であるため、塗膜転写後のテープ基材が見えにくく横ずれに気づかないことも多い。横ずれのまま使用を続けると、横ずれが大きくなり、感圧転写テープが転写ヘッドから外れてしまう。そのような不具合が頻繁に生じるようになった。
【特許文献１】特開２００２−２００８９１号公報
【特許文献２】特許第３７１６３７９号公報
【特許文献３】特開２０００−３１８３７８号公報
【発明の開示】
【発明が解決しようとする課題】
【００１０】
発明が解決しようとする課題は、テープ基材として厚みの薄い透明なＰＥＴフィルムを使用して横ずれが起っても、ユーザーがすぐに横ずれを補正してしまうものを提供することである。
【課題を解決するための手段】
【００１１】
上記課題に鑑み、試行錯誤と多数のユーザーテストの結果、透明なテープ基材に色柄を形成していると、ユーザーが感圧転写テープを転写しているとき横ずれが起っても、ユーザーがすぐに横ずれを補正することがわかった。これは、塗膜転写後に巻取られる透明テープ基材に色柄があることによって、横ずれが起っていることが強調されるので、ユーザーが転写したい箇所に転写しようと意識していると、横ずれをすぐに補正してしまうようである。
【００１２】
本発明は、テープ基材上の塗膜を被転写体に転写する感圧転写テープにおいて、少なくとも、感圧転写テープを繰出す繰出し部と、感圧転写テープを被転写体に押圧する転写ヘッドと、転写後のテープ基材を巻取る巻取り部と、繰出し部と巻取り部を連動させる機構を有する自動巻取り式の塗膜転写具に装填して用いるものであり、テープ基材として厚さが３〜２５μｍの透明なＰＥＴフィルムであり、テープ基材の片面に１色以上の色からなる柄と離型層が形成され、反対面に離型層が形成され、どちらか一方の離型層上に塗膜が形成されており、柄がグラビア印刷によって形成されていて、有色不透明の転写ヘッドを有する塗膜転写具に装填して用いるものであり、柄がテープ幅の中央でテープ長尺方向へ１本となる直線柄またはテープ幅全面へのベタ柄であることを特徴とするものである。
【発明の効果】
【００１３】
本発明により、テープ基材として厚みの薄い透明なＰＥＴフィルムを使用して横ずれが起っても、ユーザーがすぐに横ずれを補正してしまうようになった。これにより、塗膜転写具の感圧転写テープがさらに安定して動くようになり、従来よりも転写したい箇所に狙い通りに転写できるようになった。また、塗膜転写後に巻取られるテープ基材に柄があることで、転写しているときに面白さや楽しさを感じてもらえるようなり、商品としての面白さや楽しさをこれまで以上に付与することができた。
【発明を実施するための最良の形態】
【００１４】
本発明の感圧転写テープとして、誤字などを隠蔽して再筆記可能にした修正テープを用いて説明するが、紙どうしや他のものに接着するのに使用する接着テープ、印刷物や筆記物の特定部分を強調したり、印象付けたりする手段として用いられる蛍光テープ、柄や模様を転写できるマーク転写テープ、暗記したい文字上に転写し、専用シートを被せることで転写した文字を判読しにくくする暗記テープ等、押圧によって基材上の塗膜を被転写体に転写する感圧転写テープ全般に対して本発明は効果を発揮するものである。以下に本発明の実施形態を図面に基づいて具体的に説明する。
【００１５】
図１は、本発明の修正テープ１の幅方向断面図である。図１に示した修正テープ１は、テープ基材２の片面に柄３と離型層４が形成され、反対面に離型層４と修正用塗膜７が形成されている。修正用塗膜７は、隠蔽層５と接着層６からなる。
【００１６】
図２は、コア８に巻かれている修正テープ１である。図の左右方向がテープ長尺方向であり、図の上下方向がテープ幅方向である。柄３はテープ長尺方向への赤色からなる直線柄であり、図２では網点で表している。テープ幅５ｍｍで、その中央に幅１ｍｍの柄３を形成したものである。テープ基材に対して柄３の反対面は修正用塗膜であるため、修正テープ１がコア８に巻かれて見えている面は接着層６である。この接着層６が透明であれば、隠蔽層が見えていることになる。また、テープ基材は透明であるが、隠蔽層を有しているため、柄３が透けて見えることはない。なお、図２のＡ−Ａ’断面を９０度回転して表したものが図１である。
【００１７】
図３は、使用例である。塗膜転写具の転写ヘッド１０にて、修正テープの修正用塗膜７を転写しているところを拡大して表している。転写ヘッド１０の先端９にて、修正テープを被転写体に押圧しながら、塗膜転写具を図面左から右へ動かして、修正用塗膜７を転写している。転写前の修正テープは、有色不透明な転写ヘッド１０に隠れていて見えていない。自動巻取り式である繰出し部と巻取り部を連動させる機構があるので、塗膜転写後の柄３付きテープ基材２は、図面右斜め上方向へ転写と同時に自動に巻き取られている。被転写体に転写された修正用塗膜７においては、隠蔽層５が表面に見えている。なお、転写ヘッド１０側面のガイドを図では省略している。
【００１８】
図４は、横ずれした状態での使用例である。転写の詳細は図３と同じであるので説明を省略するが、テープ基材２に柄がないことと横ずれした状態であることが図３と異なる。図４の横ずれは、転写ヘッド１０の先端９の奥側（図面左斜め上方向）へテープが寄っている横ずれである。この横ずれが大きくなると、テープが転写ヘッド１０から外れてしまうことが起る。
【００１９】
テープ基材２は透明なＰＥＴフィルムであるので、図３と図４において、柄３のないテープ基材だけのところでは、転写ヘッド１０が透けて見えている。図４は横ずれした状態であるが、修正用塗膜７は転写されているので、ユーザーはこれを横ずれした状態として認識しにくい。図３のように柄３があると、横ずれが起っても、ユーザーは意識することなく、中央へと補正し、図３のようにうまく転写させることができる。これは、柄があることによって横ずれが強調されるので、ユーザーが転写したい箇所に転写しようと意識していると、横ずれをすぐに補正してしまうようである。
【００２０】
図５は、塗膜転写具１１の例である。この塗膜転写具１１は、ユニオンケミカー社製消シマウスＨＧであり、ケースの図面手前半分を透明にして、内部構造がわかるように表している。この塗膜転写具１１のケースは、図面手前半分と奥半分とに分けて、修正テープ１を装填するものである。
【００２１】
コアに巻かれた修正テープ１を含む繰出し部１２から、修正テープ１が繰出され、転写ヘッド１０の先端９にて修正テープ１を被転写体に押圧して塗膜が転写される。この転写ヘッド１０には、図３と図４では省略したが、転写ヘッド１０側面のガイド１３が両側にある。塗膜転写後の柄３付きテープ基材２は、巻取り部１４へ巻取られる。テープ基材２は透明なＰＥＴフィルムであるので、透けて見えている。使用しているうちにテープの弛みなどが生じても、巻取り部１４にあるローレット１５をケース開口部１６にて回すことにより、容易に直すことができる。
【００２２】
この塗膜転写具１１において、繰出し部１２と巻取り部１４を連動させる機構は、繰出し部１２と巻取り部１４にあるギアを用いたものである。これらのギアは、繰出し部１２と巻取り部１４の図面奥にあって、繰出し部１２のギア１７は、コアに巻かれた修正テープより大きいので部分的に見えているが、巻取り部１４のギアは小さいので見えていない。このギアを用いた連動させる機構によって自動巻取り式になっている。これにより、テープを常に安定して動かすものであるが、横ずれを完全に無くすまでには至っていない。また、この塗膜転写具１１のケースには、図面手前から図面奥へと貫いている貫通部１８があり、紐などを通して、首にかけたり、腕にかけたりして、使用することができる。
【００２３】
テープ基材２として厚さが３〜２５μｍの透明なＰＥＴ（ポリエチレンテレフタレ−ト）フィルムである。厚さが大きい（厚い）と、塗膜転写具に装填して転写できるテープ長が短くなるので、不経済である。厚さが小さい（薄い）と、転写できるテープ長が長くなって経済的であるが、テープ基材に腰がなくなり、逆に転写しにくくなったり、塗膜を形成しにくくなったりする。現状、テープ基材２として厚さが３〜２５μｍが適している。転写する塗膜の性質によっては、ポリエチレンナフタート、ポリプロピレンなどのプラスチックフィルムが用いられることもある。
【００２４】
柄３は、テープ基材２上に１色以上の色からなる任意の柄を形成できる方法であれば、どのような形成方法でもよい。また、離型層４を着色することで、ベタ柄の離型層４として形成することもできるが、通常は、柄３を形成してから離形層４を形成する順番である。ゆえに、この柄３を形成するには、印刷方法が適している。印刷方法としては、グラビア印刷、スクリーン印刷、インクジェット印刷等が挙げられる。これらの印刷方法であれば、１色以上の色からなる任意の柄を形成することは容易である。この中でも、加工のしやすさや汎用さを考えると、グラビア印刷が最も適している。柄３の厚さは０．５〜１μｍが好ましい。
【００２５】
柄３は、テープ幅の中央でテープ長尺方向へ１本となる直線柄またはテープ幅全面へのベタ柄である。また、柄があることで転写しているときに面白さや楽しさを感じてもらえるものである。図３において、転写ヘッド１０の先端９から左側に修正用塗膜７（白色）が転写されているが、右側では巻取られるテープ基材２に柄３（赤色直線柄）が現れてくるようにユーザーに見え、あたかも先端９の稜から左側に白色のテープが、右側に赤色直線柄のテープが分かれて出てくるように見えるので、そこに面白さや楽しさがある。これは、自動巻取り式の塗膜転写具であるからこそのものでもある。
【００２６】
柄３を形成したテープ基材２が透明であるので、転写ヘッド１０は有色不透明である方がよい。有色つまり着色されていると、柄３と転写ヘッド１０の色の差で、柄３が明確になり、横ずれがより強調されるようになる。また不透明であることにより、上記の面白さや楽しさが出てくるものである。転写ヘッドの具体的な色として、ユニオンケミカー社製消シマウスＨＧでは４色（青、緑、黄、白）あるが、これらに限定されるものではない。柄３やその色によって、強調されるように様々な色を使えばよい。
【００２７】
離型層４は、柄３を形成した後に、テープ基材２の片面毎に形成したり、両面同時に形成したりすることができる。また、離型層４を先に形成したテープ基材２の反対面に柄３と離型層４を形成したりすることもできる。離型層４は、離型層コーティング液を用いて、グラビアコーターなどによって形成する。離型層コーティング液は、シリコン樹脂、フッ素樹脂、その他離型性を有する樹脂から選択でき、これに必要に応じて、添加剤などを混合して作製する。離型層４の厚さは約０．５〜１μｍが好ましい。
【００２８】
隠蔽層５は、隠蔽層コーティング液を用いて、ロールコーターなどによって形成する。隠蔽層コーティング液は、白色顔料、充填剤、各種ビヒクルなどからなり、これに必要に応じて、分散剤、添加剤などを混合して作製する。隠蔽層５の厚さは約１５〜２５μｍが好ましい。
【００２９】
接着層６は、いわゆる粘着剤を用いて、ロールコーターなどによって形成する。粘着剤は、アクリル系、ロジン系、ゴム系、ビニルエーテル系樹脂、ポリイソブチレン系などから選択でき、これに必要に応じて、充填剤、調整剤などを混合して作製する。接着層６の厚さは約１〜４μｍが好ましい。
【００３０】
上記のように形成した修正テープ１を、細い幅にスリットしコア８に巻いて、塗膜転写具１１に装填して用いる。
【実施例１】
【００３１】
テープ基材２として厚さ１２μｍの透明なＰＥＴフィルムを用いて、柄３として片面にテープ長尺方向への直線柄（幅１ｍｍ）を、５ｍｍ幅にスリットしたときに中央に１本となるような間隔で、柄３の厚さが約０．５μｍになるようにグラビア印刷で形成した。グラビア印刷用インキは、大阪印刷インキ製造株式会社製ＶＳ−ＳＡＮＳ赤色を用いた。
【００３２】
このテープ基材２の両面に、離型層４を厚さが１μｍになるようにグラビアコーターによって形成した。離型層コーティング液は、紫外線硬化型シリコン（ＵＶ９３００「モメンティブ・パフォーマンス・マテリアルズ・ジャパン社製」）と硬化剤（ＵＶ９３８０Ｃ「モメンティブ・パフォーマンス・マテリアルズ・ジャパン社製」）を混合して作製したものを用いた。
【００３３】
柄３を印刷した面とは反対側の離型層４上に、隠蔽層５を厚さが１８μｍになるようにロールコーターによって形成した。隠蔽層コーティング液は、トルエン溶液中で、白色顔料として酸化チタン（タイピュアＲ９３１「デュポン株式会社製」）と充填剤としてシリカ（ガジルシリカ２００ＤＦ「ＩＮＥＯＳ  Ｓｉｌｉｃａｓ社製」）を合わせて固形分で８０重量％、ビヒクルとしてスチレン・ブタジエンブロックコポリマー（アサフレックス８０５「旭化成ケミカルズ株式会社製」）とスチレン・ブタジエン・スチレンブロックコポリマー（クレイトン１１０１ＪＳ「クレイトンポリマー社製」）を合わせて固形分で１８重量％、分散剤として特殊高分子界面活性剤（ホモゲノールＬ−１８「花王株式会社製」）を固形分で２重量％となるように分散処理混合して作製したものを用いた。
【００３４】
この隠蔽層５上に、接着層６を厚さが２μｍになるようにロールコーターによって形成した。粘着剤は、エマルジョン粘着剤（ニカゾールＴＳ−１５２３「日本カーバイド工業株式会社製」）を用いた。
【００３５】
このように形成した修正テープ１を幅５ｍｍ、長さ１０ｍにスリットしコア８に巻いて、塗膜転写具１１（青色の転写ヘッドを有するユニオンケミカー社製消シマウスＨＧ）に装填し、ユーザーに上質紙上に転写してもらったところ、横ずれが起ってもすぐに横ずれを補正していた。柄があることによって横ずれが強調されるので、ユーザーが転写したい箇所に転写しようと意識していると、横ずれをすぐに補正してしまうようである。そして、感圧転写テープが転写ヘッドから外れてしまうことなく、使い切ることができた。これにより、転写したい箇所に狙い通りに転写できるようになり、感圧転写テープが転写ヘッドから外れてしまう不具合が発生しにくいようになった。
【実施例２】
【００３６】
柄３として、実施例１の直線柄（幅１ｍｍ）を、図６に表したような１辺０．２５ｍｍ角の正方形からなる市松模様３１に変更して、グラビア印刷で形成した。色数は、市松模様３１の正方形８つを１色として、３色（黒２１、赤２２、藍２３）で形成した。３色のグラビア印刷用インキは、大阪印刷インキ製造株式会社製ＶＳ−ＳＡＮＳ黒色、赤色、藍色を用いた。その他は実施例１と同じに形成し、ユーザーに転写してもらったところ、横ずれが起ってもすぐに横ずれを補正しており、実施例１と同じ結果となった。
【実施例３】
【００３７】
柄３として図７に表したようなベタ柄３２（色は大阪印刷インキ製造株式会社製ＶＳ−ＳＡＮＳ黒色）に変更して、その他は実施例１と同じに形成し、ユーザーに転写してもらったところ、横ずれが起ってもすぐに横ずれを補正しており、実施例１と同じ結果となった。なお、図７は図３と同じ使用例であり、ベタ柄３２であることが異なる。図７において、転写ヘッド１０の先端９から左側に修正用塗膜７（白色）が転写されているが、右側では巻取られるテープ基材２にベタ柄３２（黒色）が現れてくるようにユーザーに見え、あたかも先端９の稜から左側に白色のテープが、右側に黒色のテープが分かれて出てくるように見えるので、そこに面白さや楽しさがある。
【００３８】
これら実施例との比較として、柄を形成していない従来の修正テープをユーザーに転写してもらったところ、横ずれが起ってもすぐに横ずれを補正することなく、そのまま転写続けることが多かった。そのうち、横ずれが大きくなると、転写ヘッドから外れてしまうことも起った。柄があるときのように、横ずれを無意識のうちに補正しているようなことは見られなかった。
【図面の簡単な説明】
【００３９】
【図１】本発明の幅方向断面図。
【図２】コアに巻かれている本発明。
【図３】使用例。
【図４】横ずれした状態での使用例。
【図５】塗膜転写具の例。
【図６】３色の市松模様柄。
【図７】ベタ柄の使用例。
【符号の説明】
【００４０】
１    修正テープ
２    テープ基材
３    柄
４    離型層
５    隠蔽層
６    接着層
７    修正用塗膜
８    コア
９    先端
１０    転写ヘッド
１１    塗膜転写具
１２    繰出し部
１３    ガイド
１４    巻取り部
１５    ローレット
１６    ケース開口部
１７    ギア
１８    貫通部
２１    黒
２２    赤
２３    藍
３１    市松模様
３２    ベタ柄
【図１】
0005235497.tif 000002
【図２】
0005235497.tif 000003
【図３】
0005235497.tif 000004
【図４】
0005235497.tif 000005
【図５】
0005235497.tif 000006
【図６】
0005235497.tif 000007
【図７】
0005235497.tif 000008